(57)【要約】【課題】既設済みのエレベーターの乗場出入口に簡単に取り付けることのできるエレベーターの乗場出入口用安全装置を提供。【解決手段】上記課題は、左右の縦枠及びこの縦枠の上端部に設けた上枠からなる三方枠２と、この三方枠２の下端部側に設けた乗場敷居３と、複数枚のパネル戸からなり前記乗場敷居に案内されるところの横引き戸４とから構成されるエレベーターの乗場出入口１であって、この乗場出入口１の上下方向に検出域を有する光電装置５を設け、この光電装置５の動作に応じて横引き戸４の開閉動作を制御するエレベーターの乗場出入口用安全装置において、前記光電装置５を、前記乗場敷居３における前記横引き戸４が通過しない部分Ｈの上方及び下方の空間Ｓ１、Ｓ２を利用して取り付ける構成とすることで、達成できる。【選択図】図３
2009091079.tif 000002
【特許請求の範囲】
【請求項１】
左右の縦枠及びこの縦枠の上端部に設けた上枠からなる三方枠と、この三方枠の下端部側に設けた乗場敷居と、複数枚のパネル戸からなり前記乗場敷居に案内されるところの電動式の横引き戸とから構成されるエレベーターの乗場出入口であって、この乗場出入口の上下方向に検出域を有する光電装置を設け、この光電装置の動作に応じて前記横引き戸の開閉動作を制御するエレベーターの乗場出入口用安全装置において、
前記光電装置を、前記乗場敷居における前記横引き戸が通過しない部分の上方及び下方の空間を利用して取り付ける構成にしたことを特徴とするエレベーターの乗場出入口用安全装置。
【請求項２】
前記乗場敷居における前記横引き戸が通過しない部分の上方の空間に前記光電装置の投光器を取り付け、かつ、前記乗場敷居における前記横引き戸が通過しない部分の下方の空間に前記光電装置の受光器を取り付けるとともに、前記三方枠の上枠に投光用貫通孔を、かつ、前記乗場敷居に受光用貫通孔を、それぞれ設けて、前記受光器からのビーム状の光を前記投光用貫通孔及び前記受光用貫通孔を介して前記受光器で受光する構成にしたことを特徴とする請求項１記載のエレベーターの乗場出入口用安全装置。
【発明の詳細な説明】
【技術分野】
【０００１】
本発明は、エレベーターの乗場出入口用安全装置に関するものである。
【背景技術】
【０００２】
一般に、エレベーターの乗場出入口は、左右の縦枠（立て枠）及びこの縦枠の上端部に設けた上枠からなる三方枠と、この三方枠の下端部側に設けた乗場敷居と、複数枚のパネル戸からなり前記乗場敷居に案内されるところの電動式の横引き戸とから構成されている。そして、このエレベーターの乗場出入口では、横引き戸が開閉する際、縦枠と横引き戸との間の隙間に、エレベーターの乗客（利用者）の手が引き込まれてその乗客の身体に損傷を与えてしまうことがあるので、縦枠と横引き戸との間の戸袋部に乗場出入口の上下方向に検出域を有する光電装置を設け、この光電装置の動作に応じて、横引き戸の開閉動作を制御させるようにした乗場出入口用安全装置を設けるようにしたものが提案されていた（例えば、特許文献１参照）。
【特許文献１】特開平１１−３１０３７５号公報
【発明の開示】
【発明が解決しようとする課題】
【０００３】
しかしながら、上述した特開平１１−３１０３７５号公報に記載されたエレベーターの乗場出入口用安全装置では、その安全装置を既設済みのエレベーターに取り付ける場合、縦枠と横引き戸との隙間が狭いために、光電装置の取り付けが困難であって、既設の三方枠の交換とともに、建屋側の工事を行わなければならず、簡単に、かつ、低コストで、既設済みのエレベーターに乗場出入口用安全装置を取り付けることができないという問題があった。
【０００４】
本発明は、上述した従来技術における実状からなされたもので、その目的は、既設エレベーターに対しても、取り付け工事を簡単に行わせることのできるエレベーターの乗場出入口用安全装置を提供することにある。
【課題を解決するための手段】
【０００５】
上記目的を達成するために、本発明は、左右の縦枠及びこの縦枠の上端部に設けた上枠からなる三方枠と、この三方枠の下端部側に設けた乗場敷居と、複数枚のパネル戸からなり前記乗場敷居に案内されるところの電動式の横引き戸とから構成されるエレベーターの乗場出入口であって、この乗場出入口の上下方向に検出域を有する光電装置を設け、この光電装置の動作に応じて前記横引き戸の開閉動作を制御するエレベーターの乗場出入口用安全装置において、前記光電装置を、前記乗場敷居における前記横引き戸が通過しない部分の上方及び下方の空間を利用して取り付ける構成としたことを特徴としている。
【０００６】
さらに、本発明は、前記乗場敷居における前記横引き戸が通過しない部分の上方の空間に前記光電装置の投光器を取り付け、かつ、前記乗場敷居における前記横引き戸が通過しない部分の下方の空間に前記光電装置の受光器を取り付けるとともに、前記三方枠の上枠に投光用貫通孔を、かつ、前記乗場敷居に受光用貫通孔を、それぞれ設けて、前記受光器からのビーム状の光を前記投光用貫通孔及び前記受光用貫通孔を介して前記受光器で受光する構成にしたことを特徴としている。
【発明の効果】
【０００７】
本発明によれば、既設済みのエレベーターに対しても、光電装置の取り付け作業を、簡単に実施することのできるエレベーターの乗場出入口用安全装置が得られる。
【発明を実施するための最良の形態】
【０００８】
以下、本発明に係るエレベーターの乗場出入口用安全装置の一実施形態を、図１〜図３に、基づいて説明する。図１は、本発明の一実施形態に係るエレベーターの乗場出入口の全体を示す正面図である。図２は、乗場出入口用安全装置を示すためのエレベーターの乗場出入口の要部横断面図である。図３は、本発明の一実施形態に係り、乗場出入口用安全装置を示すためのエレベーターの乗場出入口の要部縦断面図である。
【０００９】
図１に示す本発明の一実施形態に係るエレベーターの乗場出入口１は、左右の縦枠２Ａ、２Ｂ及びこの縦枠２Ａ、２Ｂの上端部に設けた上枠２Ｃからなる三方枠２と、この三方枠２の下端部側に設けた乗場敷居３と、２枚のパネル戸４Ａ、４Ｂからなり乗場敷居３に案内されるところの電動式の横引き戸４とから構成されている。なお、ここで、パネル戸４Ａ、４Ｂには、金網構造の戸も含まれるものとする。
【００１０】
乗場出入口１には、図２に示すように、この乗場出入口１の上下方向に検出域を有する光電装置５を設け、この光電装置５の動作に応じて横引き戸４の開閉動作を制御するエレベーターの乗場出入口用安全装置６が設置されている。その乗場出入口用安全装置６は、図３に示すように、乗場敷居３における横引き戸４が通過（移動）しない部分Ｈの上方の空間Ｓ１に光電装置５の投光器５Ａを取り付け、かつ、乗場敷居３における横引き戸４が通過（移動）しない部分Ｈの下方の空間Ｓ２に光電装置５の受光器５Ｂを取り付けるとともに三方枠２の上枠２Ｃに投光用貫通孔７を、かつ、乗場敷居３に受光用貫通孔８を、それぞれ設けて、図３の２点鎖線で示すように、投光器５Ａからのビーム状の光５Ｃを、投光用貫通孔７及び前記受光用貫通孔８を介して受光器５Ｂで受光するように少なくとも構成されている。ビーム状の光５Ｃは、赤外線としてある。
【００１１】
上記本実施形態の乗場出入口１では、乗場敷居３がエレベーターを設置した建屋９に複数個の固定金具１０によって取り付けられている。乗場出入口１は、図２に示すように、縦枠２Ａ側を戸当り側とし、かつ、縦枠２Ｂ側を戸袋側として、パネル戸４Ｂが出入口幅Ｗの中間部までしか、横方向に移動しないようにしてある。これによって、パネル戸４Ｂが出入口幅Ｗの中間部から縦枠２Ａ側まで移動しなくなる部分、すなわち、乗場敷居３における横引き戸４が通過（移動）しない部分Ｈが形成される。
【００１２】
光電装置５は、横引き戸４が閉扉動作中に乗客の手や頭などによって、投光器５Ａからのビーム状の光５Ｃが、遮られると、閉扉動作を停止させた後、横引き戸４のパネル戸４Ａを反転移動させる指令を、横引き戸４の開閉動作制御装置（図示しない）に送信するようにしてある。
【００１３】
上記構成からなる光電装置５を既設済みのエレベーターに設置する場合には、乗場敷居３における横引き戸４が通過（移動）しない部分Ｈに該当するところの三方枠２の上枠２Ｃ部分に投光用貫通孔７を形成するとともに、この投光用貫通孔７に対向させて乗場敷居３に受光用貫通孔８を形成した後、光電装置５の投光器５Ａを、乗場敷居３における横引き戸４が通過（移動）しない部分Ｈの上方の空間Ｓ１に取り付け、かつ、光電装置５の受光器５Ｂを、乗場敷居３における横引き戸４が通過（移動）しない部分Ｈの下方の空間Ｓ２に光電装置５の受光器５Ｂを取り付ければよい。
【００１４】
以上のように、上記構成のエレベーターの乗場出入口用安全装置によれば、既設済みのエレベーターに光電装置５を設置する場合に、既設済みのエレベーターの三方枠を交換したり、建屋側の改造補修等の工事を行ったりすることなく、乗場出入口１に、光電装置５に簡単に取り付けることができるので、既設済みのエレベーターに対して、低価格で、エレベーターの乗場出入口用安全装置６を据付けることができる。
【００１５】
さらに、上記構成のエレベーターの乗場出入口用安全装置６によれば、横引き戸４が閉扉動作中に乗客の手や頭などによって、投光器５Ａからのビーム状の光５Ｃが、遮られると、閉扉動作を停止させた後、横引き戸４のパネル戸４Ａが反転移動させられるので、横引き戸４のパネル戸４Ａとパネル戸４Ｂ及び、三方枠２の縦枠２Ａとの間に乗客の手や頭などが挟まれることがなくなる。
【００１６】
上記実施形態例では、横引き戸４は、２枚のパネル戸４Ａ，４Ｂからなる片引き戸構造としてあるがこれに限定されるものではなく、３枚以上のパネル戸からなる片引き戸構造であってもよいし、４枚以上の中央両引き戸であってもよい。
【００１７】
さらに、上記実施形態例では、横引き戸４を右開き構造としているが、横引き戸４を左開き構造としてもよい。また、一対の投光器５Ａ及び受光器５Ｂとしているが、複数個の投光器５Ａ及び受光器５Ｂを設けるようにしてもよい。
【図面の簡単な説明】
【００１８】
【図１】本発明の一実施形態に係り、エレベーターの乗場出入口の正面図である。
【図２】本発明の一実施形態に係り、乗場出入口用安全装置を示すためのエレベーターの乗場出入口の要部横断面図である。
【図３】本発明の一実施形態に係り、乗場出入口用安全装置を示すためのエレベーターの乗場出入口の要部縦断面図である。
【符号の説明】
【００１９】
１    エレベーターの乗場出入口
２    三方枠
２Ａ、２Ｂ  左右の縦枠
２Ｃ  上枠
３    乗場敷居
４    電動式の横引き戸
４Ａ、４Ｂ  パネル戸
５    光電装置
５Ａ  投光器
５Ｂ  受光器
５Ｃ  ビーム状の光
６    乗場出入口用安全装置
７    投光用貫通孔
８    受光用貫通孔
９    建屋
１０  固定金具
Ｈ    横引き戸が通過（移動）しない部分
Ｓ１  上方空間
Ｓ２  下方空間
Ｗ    出入口幅
【図１】
2009091079.tif 000003
【図２】
2009091079.tif 000004
【図３】
2009091079.tif 000005